(57)【要約】【課題】構成部品の部品点数を増加させずに電動送風機に消音器を設ける。【解決手段】電動送風機１は、側壁に排気口２２を有し、モータ１０を収容するモータケース２０と、モータケース２０の開口を覆うブラケットと、モータケース２０に連結され、吸気口６１を有するファンケース６０と、ファンケース６０内に収容され、かつモータ１０の回転軸１１ｃに連結され、周方向に複数のブレード５１を有する遠心ファン５０と、ブラケット３０に接して遠心ファン５０の外周側に配置されたエアガイド４０と、を備えている。エアガイド４０にはモータケース２０側に開放された複数の凹部４５が形成され、各凹部４５とブラケット３０とにより、凹部４５の内部に、開口部４７を介してファンケース６０内に連通し、ブレード音を低減する空洞７０が設けられている。【選択図】図１
2020139408.tif 000002
【特許請求の範囲】
【請求項１】
一端が開口され、壁面に排気口を有するモータケースと、
前記モータケースの開口を覆うように配置されたブラケットと、
前記モータケースに収容され、前記ブラケットから突出する回転軸を有するモータと、
前記モータケースに連結され、前記モータケース内に連通する吸気口を有するファンケースと、
前記ファンケース内に収容され、かつ前記モータの回転軸の突出部に回転一体に連結され、周方向に所定の間隔をあけて設けられた複数のブレードを有する遠心ファンと、
前記ファンケース内に収容され、かつ前記ブラケットに接して前記遠心ファンの外周側に配置され、前記遠心ファンの回転により発生した気流を径方向外側に導く複数のディフューザー部が周方向に所定の間隔をあけて設けられたエアガイドと、を備え、
前記エアガイドには、前記各ディフューザー部のモータケース側に位置しかつ該モータケース側に開放された複数の凹部が形成され、
前記複数の凹部のうちそれぞれの凹部と前記ブラケットとにより、前記それぞれの凹部の内部に、開口部を介して前記ファンケース内に連通しかつ前記遠心ファンの回転によって生じるブレード音を低減する空洞が設けられていることを特徴とする電動送風機。
【請求項２】
請求項１に記載の電動送風機において、
前記凹部の内部容積と前記開口部の開口面積とは、前記空洞が共鳴型消音器として機能する所定の関係を満たしていることを特徴とする電動送風機。
【請求項３】
請求項２に記載の電動送風機において、
前記開口部の開口面積が互いに異なる空洞が少なくとも一組設けられていることを特徴とする電動送風機。
【請求項４】
請求項２または３に記載の電動送風機において、
前記凹部の内部容積が互いに異なる空洞が少なくとも一組設けられていることを特徴とする電動送風機。
【請求項５】
請求項１ないし４のいずれか１項に記載の電動送風機において、
周方向に隣り合う前記凹部は、前記エアガイドのモータケース側で周方向に離間して設けられたリブにより区切られていることを特徴とする電動送風機。
【請求項６】
請求項１ないし５のいずれか１項に記載の電動送風機を内部に有する本体と、
該電動送風機の動作を制御する制御部と、
該制御部に操作信号を送る操作部と、を少なくとも備えることを特徴とする電気掃除機。
【発明の詳細な説明】
【技術分野】
【０００１】
本発明は、電気掃除機等に用いられる電動送風機に関する。
【背景技術】
【０００２】
電気掃除機等の機器に用いられる電動送風機の動作時に、電動送風機の回転数と遠心ファンのブレード数の積で表わされる周波数を有するブレード音が発生することが、従来、知られている。近年の機器の低騒音化の要望に対し、このブレード音の低減が求められており、電動送風機に消音器を設置した構造が提案されている。例えば、特許文献１では、電動送風機のファンケースに貫通孔を設け、その貫通孔と連結するように設けられた凹部を有する弾性体をファンケースの外側に接するように設置することで共鳴型消音構造を構成することが開示されている。
【先行技術文献】
【特許文献】
【０００３】
【特許文献１】特開２０００−１２０５９９号公報
【発明の概要】
【発明が解決しようとする課題】
【０００４】
しかし、上記従来の構成では、電動送風機の外側に消音構造を構成していたため、構成部品の部品点数が多くなり、電動送風機の体格が大きくなるとともに、電動送風機が組み込まれる電気掃除機等の機器が大型化するという課題を有していた。
【０００５】
本発明はかかる点に鑑みなされたもので、その目的は、構成部品の部品点数を増加させずに、ブレード音を確実に消音する消音構造を有する電動送風機及びそれを備える電気掃除機を提供することにある。
【課題を解決するための手段】
【０００６】
上記の目的を達成するために、本発明では、電動送風機の構成部品であるブラケットとエアガイドとの当接部に空洞を設け、この空洞を消音器として機能させるようにした。
【０００７】
具体的には、本発明に係る電動送風機は、エアガイドのモータケース側の面に凹部を設けるとともに、凹部の外側面に開口部を設けることで、当該開口部と凹部及び凹部に当接するブラケットの面とで構成される空洞を共鳴型消音器として機能させるようにした。
【０００８】
具体的には、本発明に係る電動送風機は、一端が開口され、壁面に排気口を有するモータケースと、前記モータケースの開口を覆うように配置されたブラケットと、前記モータケースに収容され、前記ブラケットから突出する回転軸を有するモータと、前記モータケースに連結され、前記モータケース内に連通する吸気口を有するファンケースと、前記ファンケース内に収容され、かつ前記モータの回転軸の突出部に回転一体に連結され、周方向に所定の間隔をあけて設けられた複数のブレードを有する遠心ファンと、前記ファンケース内に収容され、かつ前記ブラケットに接して前記遠心ファンの外周側に配置され、前記遠心ファンの回転により発生した気流を径方向外側に導く複数のディフューザー部が周方向に所定の間隔をあけて設けられたエアガイドと、を備え、前記エアガイドには、前記各ディフューザー部のモータケース側に位置しかつ該モータケース側に開放された複数の凹部が形成され、前記複数の凹部のうちそれぞれの凹部と前記ブラケットとにより、前記それぞれの凹部の内部に、開口部を介してファンケース内に連通しかつ前記遠心ファンの回転によって生じるブレード音を低減する空洞が設けられていることを特徴とする。
【０００９】
言い換えれば、前記エアガイドには、前記各ディフューザー部のモータケース側に位置しかつ該モータケース側に開放された複数の凹部が形成される。前記複数の凹部のうちそれぞれの凹部と前記ブラケットとで形成される空洞は、開口部を介してファンケース内に連通している。前記空洞は、前記遠心ファンの回転によって生じるブレード音を低減する。
【００１０】
この構成によれば、空洞を消音器として機能させることで遠心ファンの回転によって発生するブレード音を低減することができる。また、電動送風機の基本的な構成部品であるブラケットとエアガイドとで消音器が構成されるため、電動送風機の構成部品の部品点数を増加させずに済み、電動送風機の体格が大きくなるのを抑制できる。
【００１１】
前記凹部の内部容積と前記開口部の開口面積とは、前記空洞が共鳴型消音器として機能する所定の関係を満たしているのが好ましい。
【００１２】
この構成によれば、空洞をブレード音の周波数に対応した共鳴型消音器として機能させることができ、良好な消音性能が得られる。
【００１３】
前記開口部の開口面積が互いに異なる空洞が少なくとも一組設けられていることが好ましく、前記凹部の内部容積が互いに異なる空洞が少なくとも一組設けられていてもよい。
【００１４】
この構成によれば、ブレード音が異なる周波数を有する場合にも、それぞれの周波数に対応した共鳴形消音器を構成することができる。
【００１５】
周方向に隣り合う前記凹部は、前記エアガイドのモータケース側で周方向に離間して設けられたリブにより区切られているのが好ましい。
【００１６】
この構成によれば、凹部の機械的強度を向上でき、消音器の消音性能を長期間維持できる。
【００１７】
本発明に係る電気掃除機は、上記の電動送風機を内部に有する本体と、該電動送風機の動作を制御する制御部と、該制御部に制御信号を送る操作部と、を少なくとも備えることを特徴とする。
【００１８】
この構成によれば、電気掃除機の動作時に、電動送風機のブレード音を抑制して静音動作が実現でき、快適に掃除を行うことができる。
【発明の効果】
【００１９】
以上説明したように、本発明に係る電動送風機によれば、電動送風機の構成部品であるブラケットとエアガイドとで消音器を構成できるため、構成部品の部品点数を増加させずにブレード音を低減できる。
【図面の簡単な説明】
【００２０】
【図１】一実施形態に係る電動送風機の分解斜視図である。
【図２】電動送風機の要部断面図である。
【図３】ブラケットの上面側の斜視図である。
【図４】エアガイドの上面図である。
【図５】エアガイドの上面側の斜視図である。
【図６】エアガイドの下側の斜視図である。
【図７】遠心ファンの上面側の斜視図である。
【図８】一実施形態に係る電気掃除機の構成を示す図である。
【図９】変形例に係るエアガイドの上面側の斜視図である。
【図１０】変形例に係る別のエアガイドの下面側の斜視図である。
【発明を実施するための形態】
【００２１】
以下、本発明の実施形態を図面に基づいて詳細に説明する。以下の好ましい実施形態の説明は、本質的に例示に過ぎず、本発明、その適用物或いはその用途を制限することを意図するものでは全くない。
【００２２】
（実施形態）
［電動送風機及び各部品の構成］
図１は、本実施形態に係る電動送風機の分解斜視図を示し、図２は、要部断面図を示し、図３は、ブラケットの上面側の斜視図を示す。図４はエアガイドの上面図を示し、図５，６は、それぞれエアガイドの上面側及び下面側の斜視図を示し、図７は、遠心ファンの上面側の斜視図を示す。
【００２３】
図１、図２に示すように、電動送風機１は、モータ１０とモータケース２０とブラケット３０とエアガイド４０と遠心ファン５０とファンケース６０とを備えている。なお、以降の説明において、モータ１０の回転軸１１ｃの軸長方向であって、ファンケース６０が配置された側を「上」と、モータケース２０が配置された側を「下」と呼ぶことがある。
【００２４】
モータ１０は、回転子１１と、回転子１１の外周を囲むように配置された固定子１２と、ブラケット３０の下面に配置されたブラシ１３とを有している。回転子１１は、電機子コア１１ａと電機子巻線１１ｂと回転軸１１ｃと整流子１１ｄとを有している。電機子コア１１ａには電機子巻線１１ｂが巻回され、整流子１１ｄには電機子コア１１ａから引き出された電機子巻線１１ｂの引出線が接続されている。電機子コア１１ａ及び整流子１１ｄの中心を貫通して回転軸１１ｃが連結されている。
【００２５】
固定子１２は、鉄などで構成された界磁コア１２ａに界磁巻線１２ｂが巻回されてなる。界磁コア１２ａは、例えば所定形状の電磁鋼板を複数枚積層して形成されている。また、界磁コア１２ａは、その内側に、磁極となる磁極部を有するとともに、回転子１１を配置するための空間部を有している。
【００２６】
ブラシ１３は、人造黒鉛等のカーボンブラシ材へ固体潤滑剤を含む組成で構成されており、ブラケット３０に設けられたブラシ保持器（図示せず）内に保持されるとともに、ブラシバネ（図示せず）によって整流子１１ｄへと押圧されている。モータ１０は、一対のブラシ１３，１３を有しており、それぞれが整流子１１ｄに当接している。
【００２７】
なお、本実施形態において、モータ１０としてブラシ付きモータを例示したが、特にこれに限定されず、例えば、ブラシレスモータであってもよいし、他の種類のモータであってもよい。
【００２８】
モータケース２０は、上部に設けられた開口の周りに鍔部２１を有する有底半筒状の金属部材であり、遠心ファン５０の回転により発生する気流を外部に吐出する排気口２２，２２を壁面である側壁に有している。なお、排気口２２を形成する壁面は、軸受２５を保持する底面であってもよい。また、鍔部２１には、ブラケット３０との位置決めを行うための位置決め孔２３，２３が設けられている。固定子１２はモータケース２０内に固定されている。また、モータケース２０の下部には貫通孔２４が設けられており、モータ１０の回転軸１１ｃが挿通される。
【００２９】
図３に示すように、ブラケット３０は、略円板状の基部３１と、基部３１の中心に設けられた貫通孔３２と、エアガイド４０との位置決めを行うための位置決め孔３３，３３とを有している。また、ブラケット３０の下面には、モータケース２０の位置決め孔２３，２３に挿通され、モータケース２０とブラケット３０との位置決めを行うための位置決めピン３４，３４と基部３１の周方向に所定の間隔をあけて設けられた複数の固定翼３５，３５・・・とが設けられている。ブラケット３０は樹脂を成形することで一体的に形成されている。
【００３０】
図１、図２に示すように、ブラケット３０は、モータケース２０との位置決めを行った上で、モータケース２０の上部の開口を覆うようにモータ１０の上側に配置され、モータケース２０とブラケット３０とで区画される空間にモータ１０が収容されている。また、モータ１０の回転軸１１ｃはモータケース２０の貫通孔２４及びブラケット３０の貫通孔３２に挿通されてブラケット３０から上側に突出しており、貫通孔２４の周りと貫通孔３２の周りにそれぞれ設けられた軸受２５，３６によって回転自在に支持されている。
【００３１】
図４から図６に示すように、エアガイド４０は、平面視で略円環形状の部材である本体４１と、本体４１の周方向に所定の間隔をあけて設けられ、本体４１の上面と交差する方向に延びる複数の固定翼４２，４２・・・と、内周から外周にかけて間隔が広くなるように設けられ、隣り合う固定翼４２，４２との間で構成されるディフューザー部４３とを有している。なお、図２に示すように、ディフューザー部４３，４３・・・の上側にはファンケース６０の内面が当接し、閉路を構成している。
【００３２】
エアガイド４０はさらに、ブラケット３０の位置決め孔３３、３３と嵌合し、両者の位置決めを行うための位置決めボス４４，４４を有している。エアガイド４０は、ブラケット３０との位置決めを行った上で、ブラケット３０の上面に固定して保持されている。また、エアガイド４０は樹脂を成形することで一体的に形成されている。このことにより、複雑な形状を有するエアガイド４０を容易に形成できる。エアガイド４０の構成の詳細及び機能については後で詳述する。
【００３３】
図２、図７に示すように、遠心ファン５０は、エアガイド４０と同様にブラケット３０の上側に配置されており、傘形形状で中央に開口５３を有する金属部材である上側シュラウド５２と、中央に貫通孔５５を有する円板状の金属部材である下側シュラウド５４と、これらの間に、周方向に所定の間隔をあけて設けられ、かしめ加工により上側シュラウド５２と下側シュラウド５４とに締結された金属部材である複数のブレード５１，５１・・・とを有している。上側シュラウド５２の開口５３は、ファンケース６０に設けられた吸気口６１に連通しており、下側シュラウド５４の貫通孔５５には回転軸１１ｃが挿通される。ナット６２によって、貫通孔５５に挿通された回転軸１１ｃの突出部と下側シュラウド５４とが締結固定され、遠心ファン５０は回転軸１１ｃに回転一体に連結されている。また、遠心ファン５０は、エアガイド４０との位置決めを行った上で、上面視でエアガイド４０の内側に配置される。
【００３４】
ファンケース６０は上部に吸気口６１を有し、下部に開口を有する有底半筒状の金属部材である。ファンケース６０は、モータケース２０の上部の開口に圧入されることでモータケース２０に連結固定されており、モータケース２０とファンケース６０とで電動送風機１の外郭が構成されている。また、ファンケース６０とブラケット３０とで区画される空間に、エアガイド４０と遠心ファン５０とが収容されている。
【００３５】
以上のように構成された電動送風機１の動作について説明する。
【００３６】
図１、図２に示すように、外部からモータ１０に電力を供給することにより、電機子電流がブラシ１３および整流子１１ｄを介して電機子巻線１１ｂに流れるとともに、固定子１２の界磁巻線１２ｂに界磁電流が流れる。界磁電流によって界磁コア１２ａと界磁巻線１２ｂとに発生した磁束と、電機子巻線１１ｂを流れる電機子電流との間でトルクが発生し、回転軸１１ｃが軸受２５，３６に支持されて回転する。同時に、回転軸１１ｃに連結された遠心ファン５０も回転し、遠心ファン５０内部に負圧が生じる。
【００３７】
このことにより、ファンケース６０の吸気口６１から空気が吸入されて、遠心ファン５０のブレード５１，５１の間を径方向外側に流れる気流を発生させる。この気流はさらに、遠心ファン５０の外周側に配置されたエアガイド４０のディフューザー部４３とファンケース６０とで構成される閉路を通って、エアガイド４０の径方向外側に導かれて、エアガイド４０の外周から吐出される。吐出された気流はさらにファンケース６０及びモータケース２０の内側面に沿って下方に流れるとともに、ブラケット３０の下面に設けられた固定翼３５，３５・・・の間を通ってモータ１０の近傍を下方に流れる。これらの気流はモータケース２０の排気口２２，２２を通じて外部に吐出される。
【００３８】
また、ディフューザー部４３とファンケース６０の上面とで構成される閉路は気流の流れに沿ってその断面積が拡大するように設けられているため、ディフューザー部４３を通過した気流は減速されながら、動圧から静圧に変換される。このように、エアガイド４０を通過することで、気流の流速が低減されるため、気流の乱れに起因する電動送風機１の送風効率の低下を抑制できる。
【００３９】
［エアガイド４０及び消音器８０の構成］
図５，６に示すように、エアガイド４０は、本体４１の外周に沿って、ディフューザー部４３，４３・・・の下側に設けられ、下側が開放された凹部４５，４５・・・を有している。なお、図４に斜線で示すように、凹部４５は上面視で複数のディフューザー部４３，４３・・・に跨がるように設けられているが、凹部４５，４５の個数とディフューザー部４３，４３・・・の個数とは同じである。周方向に隣り合う凹部４５，４５・・・は、エアガイド４０の周方向に離間して設けられたリブ４６，４６・・・で区切られている。エアガイド４０の下面側で、リブ４６，４６・・・はエアガイド４０の本体４１から固定翼４２，４２・・・の外周側端部に延びるように設けられている。図２に示すように、エアガイド４０の下面はブラケット３０の上面に当接して両者が固定されており、凹部４５と、凹部４５の下面に当接されるブラケット３０の上面とで、凹部４５の内部に空洞７０が設けられている。これらの空洞７０，７０・・・は、エアガイド４０の径方向外側に位置する外周に沿って、開口部４７，４７・・・を有しており、開口部４７，４７・・・を介して空洞７０，７０・・・は、それぞれファンケース６０内に連通している。
【００４０】
本実施形態においては、空洞７０を消音器８０として機能させるようにしており、その前提として、電動送風機１の動作に起因して生じるブレード音について説明する。
【００４１】
前述したように、吸気口６１から吸入された空気は、遠心ファン５０の径方向外側に吐出されるが、このとき、気流に圧力脈動が生じ、圧力脈動の周波数Ｆは式（１）で表わされる。
【００４２】
Ｆ＝Ｎ×Ｚ［Ｈｚ］・・・（１）
ここで、Ｎは、遠心ファン５０の単位時間当りの回転数であり、Ｚは、遠心ファン５０のブレード５１の個数である。
【００４３】
圧力脈動の周波数Ｆが可聴域、例えば、２０Ｈｚから２０ｋＨｚの間にあると、ブレード音と呼ばれる騒音として人間に感知され、このような騒音を低減するために、消音器を設置することが有効であることは従来、知られているとおりである。
【００４４】
本実施形態において、開口部４７の開口面積及び凹部４５の内部容積は、空洞７０が共鳴型消音器として機能する所定の関係を満たすように、例えばブレード音の周波数Ｆに対してヘルムホルツ共鳴条件を満たすように構成されている。
【００４５】
このことにより、空洞７０が共鳴型消音器として機能し、電動送風機１のブレード音を低減することができる。また、空洞７０，７０・・・はエアガイド４０の周方向に均等に複数設けられているため、効率良くブレード音を低減できる。
【００４６】
また、電動送風機１の基本的な構成部品であるブラケット３０とエアガイド４０とで消音器８０が構成されるため、消音器８０が電動送風機１の内部に配置され、電動送風機１の体格が大きくなるのを抑制できる。また、電動送風機１の構成部品の部品点数を増加させずに済み、電動送風機１のコスト上昇を抑制できる。
【００４７】
また、上記の従来の構成では、消音器の開口にあたる貫通孔がディフューザー内流路またはファンケース内壁部等の気流の流速が比較的早い位置に設けられていることで、気流の乱れによる圧力損失が発生し、電動送風機の送風効率を低下させるおそれがあった。さらに、消音器を弾性体で構成していたため、電気掃除機等の機器に当該消音器が組み込まれた際、弾性体が変形することで内部の空洞の体積が変化し、この変化に応じて音波の抑圧周波数がブレード音の周波数に対応しなくなったり、また、製品個体ごとに抑圧周波数のバラツキを発生させたりする懸念があった。
【００４８】
一方、本実施形態に係る構成では、消音器８０の開口部４７を、気流の流速が比較的遅いエアガイド４０の外周、つまり、ディフューザー部４３，４３・・・の外周側端部の下側に設けることで、気流の乱れをさらに抑制し、電動送風機１の送風効率の低下を抑制することができる。また、消音器８０の構成部材に弾性体を用いていないため、例えば、電動送風機１を電気掃除機等の機器に組み込んだ場合に空洞７０の変形が起こらない。このことにより、音波の抑圧周波数の変化やバラツキを抑制でき、良好な消音性能が得られる。
【００４９】
また、複雑な形状を有するエアガイド４０を樹脂で一括成形する場合、流れ性のよい樹脂材料を用いるため、エアガイド４０は、ブラケット３０に比べて機械的強度が低下する傾向にある。本実施形態のように、リブ４６，４６・・・を設けることで、凹部４５，４５の機械的強度を向上させることができ、凹部４５，４５・・・が長期的に見て変形しにくくなる。このことにより、消音器８０，８０・・・の消音特性を長期間維持でき、ひいては、電動送風機１の信頼性を向上することができる。
【００５０】
［電気掃除機１００の構成］
図８は、本実施形態に係る電気掃除機１００の構成を示し、この電気掃除機１００は、本体１１０とホース１２０と延長管１３０と操作スイッチ１４０（操作部）と床ブラシ１５０とを備えている。
【００５１】
本体１１０は、内部に上記の電動送風機１と、その制御部１１１とを有している。また、図示しないが、本体１１０は、電動送風機１が作動して吸引されたゴミを収容する紙パック等の収容部を有している。本体１１０は、ホース１２０の一端が着脱可能に連結されるとともに、キャスター１１２により床面を移動可能に構成されている。
【００５２】
ホース１２０の他端には延長管１３０の一端が着脱可能に連結されており、延長管１３０の他端には床ブラシ１５０が着脱可能に連結されている。
【００５３】
延長管１３０は、操作者の操作によって伸長可能に構成された直管であり、ホース１２０に近い側に操作スイッチ１４０（操作部）が設けられている。操作スイッチ１４０を操作して制御部１１１に操作信号を送ることで、電気掃除機１００の動作を開始あるいは終了したり、電動送風機１の回転数を変化させてゴミの吸引力を変化させたりすることができる。
【００５４】
床ブラシ１５０は底面に吸気口（図示せず）を有し、吸気口は延長管１３０に連通している。床ブラシ１５０を床面に当接させた状態で電動送風機１が作動することにより、床ブラシ１５０の吸気口から空気が吸引され、それに応じて床面にあるゴミが電気掃除機１００内に吸引される。なお、床ブラシ１５０に図示しないモータが内蔵されている場合、操作スイッチ１４０により当該モータを回転させて、床ブラシ１５０を運動させ、床面に付着するゴミの除去能力を高めたりすることができる。
【００５５】
本実施形態に係る電気掃除機１００によれば、電気掃除機１００の動作時に、電動送風機１の作動に起因して生じるブレード音が抑制されるため、静音動作を実現でき、快適に掃除を行うことができる。また、電動送風機１の体格を大きくすることがないため、電気掃除機１００が大型化するのを抑制できる。
【００５６】
（変形例）
図９は、本変形例に係るエアガイドの上面側の斜視図を示し、図１０は、別のエアガイドの下面側の斜視図を示す。
【００５７】
図９に示す例では、エアガイド４０の外側面に、開口面積の異なる開口部４７，４８・・・が一つおきに設けられている。このように開口部４７、４８を設けることにより、異なる周波数のブレード音に対して、消音器８０，８０・・・によって消音できる。
【００５８】
図２〜７を用いて説明した消音器８０，８０・・・では、凹部４５の内部容積及び開口部４７の開口面積が固定されているため、消音可能な音波の周波数は１つに限定される。一方、図８に示すように、電動送風機１を電気掃除機１００に適用する場合、電気掃除機１００の吸引力を変化させるために、モータ１０の回転周波数を変化させる場合がある。このような場合、変化した周波数に対応するように開口面積を異ならせた開口部４８を空洞７０に設けることにより、消音器８０，８０・・・は複数の周波数のブレード音に対して消音することができる。なお、開口部４７よりも開口面積の大きい開口部４８を有する空洞７０は、より高い周波数のブレード音を消音するのに対応している。
【００５９】
なお、図９に示す例では、互いに開口面積の異なる開口部４７，４８を一つおきに設けたが、特にこの配置には限定されず、異なる周波数においてブレード音の音量が異なっていれば、当該音量に対応させて、開口部４７，４７・・・を有する空洞７０，７０・・・の個数と開口部４８，４８・・・を有する空洞７０，７０・・・の個数とを決めることができる。例えば、開口部４７を有する空洞７０が１つであってもよいし、開口部４８を有する空洞７０が１つであってもよい。互いに開口面積が異なる開口部４７，４８を有する空洞７０，７０が少なくとも一組設けられていればよい。
【００６０】
また、消音すべきブレード音の周波数が２つ以上であれば、その周波数の数に応じて、それぞれ開口面積の異なる開口部を空洞７０，７０・・・に設けることができる。この場合に、それぞれの開口面積を消音すべきブレード音の周波数に対応させることは言うまでもない。また、開口面積の異なる開口部を有する空洞７０，７０・・・のそれぞれの個数も消音すべき周波数のブレード音の音量等によって適宜設定される。
【００６１】
また、空洞７０において、開口部４７の開口面積だけでなく、凹部４５の内部容積を変化させることによっても、異なる周波数のブレード音を消音でき、図１０に示す例では、エアガイド４０の下面に、内部容積の異なる凹部４５，４９・・・が概ね一つおきに設けられている。このようなに、変化した周波数に対応するように内部容積を異ならせた凹部４９を有する空洞７０を設けることにより、消音器８０，８０・・・は複数の周波数のブレード音に対して消音することができる。なお、この場合は、凹部４５，４９・・・の個数、つまり、空洞７０，７０・・・の個数とディフューザー部４３，４３・・・の個数とは異なっている。また、凹部４５よりも内部容積の大きい凹部４９を有する空洞７０は、より低い周波数のブレード音を消音するのに対応している。
【００６２】
なお、図１０に示す例では、互いに内部容積の異なる凹部４５，４９を一つおきに設けたが、特にこの配置には限定されず、異なる周波数においてブレード音の音量が異なっていれば、当該音量に対応させて、凹部４５，４５・・・を有する空洞７０，７０・・・の個数と凹部４９，４９・・・を有する空洞７０，７０・・・の個数とを決めることができる。例えば、凹部４５を有する空洞７０が１つであってもよいし、凹部４９を有する空洞７０が１つであってもよい。互いに内部容積が異なる凹部４５，４９を有する空洞７０，７０が少なくとも一組設けられていればよい。
【００６３】
また、消音すべきブレード音の周波数が２つ以上であれば、その周波数の数に応じて、それぞれ凹部の内部容積の異なる空洞７０，７０・・・を設けることができる。この場合に、それぞれの内部容積を消音すべきブレード音の周波数に対応させることは言うまでもない。また、内部容積の異なる凹部を有する空洞７０，７０・・・のそれぞれの個数も消音すべき周波数のブレード音の音量等によって適宜設定される。例えば、凹部４５を有する空洞７０が１つであってもよいし、凹部４９を有する空洞７０が１つであってもよい。
【００６４】
また、本変形例に係る電動送風機１を電気掃除機１００に適用した場合、モータ１０の異なる回転周波数に対応して、それぞれ発生するブレード音を低減できるため、より快適に掃除を行うことができる。
【００６５】
（その他の実施形態）
変形例を含む上記実施形態において、ブレード音の消音条件を満たしていれば、一つの空洞７０に開口部４７あるいは開口部４８が複数設けられていてもよい。また、消音すべきブレード音の周波数が一つである場合に、空洞７０，７０・・・の個数と、ディフューザー部４３，４３・・・の個数とが同じでなくてもよい。また、空洞７０，７０・・・は、エアガイド４０の周方向に均等に設けられていなくてもよく、例えば、エアガイド４０の周方向に沿って空洞７０が設けられていない領域があってもよい。
【００６６】
また、開口部の開口面積あるいは凹部の内部容積が互いに異なる空洞７０，７０・・の配置間隔は、消音すべき周波数のブレード音の音量や気流の通路の配置等によって適宜設定される。なお、当該配置間隔が、エアガイド４０の周方向に一定であるのが好ましい。
【００６７】
また、互いに開口部の開口面積の異なる空洞７０，７０・・・において、凹部の内部容積が互いに異なっていてもよい。互いに凹部の内部容積の異なる空洞７０，７０・・・において、開口部の開口面積が互いに異なっていてもよい。
【００６８】
なお、上記の電動送風機１は、電気掃除機１００以外にも、送風ブロワあるいは吸気装置として、乾燥機や焼却炉、または工場の製造設備等に適用可能であることは言うまでもない。
【産業上の利用可能性】
【００６９】
本発明に係る電動送風機は、体格を大きくせずにブレード音を消音でき、電気掃除機等の機器に適用する上で有用である。
【符号の説明】
【００７０】
１  電動送風機
１０  モータ
１１  回転子
１１ａ  電機子コア
１１ｂ  電機子巻線
１１ｃ  回転軸
１１ｄ  整流子
１２  固定子
１２ａ  界磁コア
１２ｂ  界磁巻線
１３  ブラシ
２０  モータケース
２１  鍔部
２２  排気口
２３  位置決め孔
２４  貫通孔
２５、３６  軸受
３０  ブラケット
３１  基部
３２  貫通孔
３３  位置決め孔
３４  位置決めピン
３５  固定翼
４０  エアガイド
４１  本体
４２  固定翼
４３  ディフューザー部
４４  位置決めボス
４５，４９  凹部
４６  リブ
４７，４８  開口部
５０  遠心ファン
５１  ブレード
５２  上側シュラウド
５３  開口
５４  下側シュラウド
５５  貫通孔
６０  ファンケース
６１  吸気口
６２  ナット
７０  空洞
８０  消音器（共鳴型消音器）
１００  電気掃除機
１１０  本体
１１１  制御部
１１２  キャスター
１２０  ホース
１３０  延長管
１４０  操作スイッチ（操作部）
１５０  床ブラシ
【図１】
2020139408.tif 000003
【図２】
2020139408.tif 000004
【図３】
2020139408.tif 000005
【図４】
2020139408.tif 000006
【図５】
2020139408.tif 000007
【図６】
2020139408.tif 000008
【図７】
2020139408.tif 000009
【図８】
2020139408.tif 000010
【図９】
2020139408.tif 000011
【図１０】
2020139408.tif 000012